(57)【特許請求の範囲】
【請求項１】
光源と、ＤＭＸ５１２信号を送出する調光卓と、前記ＤＭＸ５１２信号に応じて前記光源の光出力を制御する制御部とを備える照明装置において、前記ＤＭＸ５１２信号よりも低速で前記光源の光出力を制御する専用信号を送出する専用コントローラと、前記調光卓及び前記専用コントローラと前記制御部とを接続する接続インターフェースとを備え、前記接続インターフェースは、前記調光卓及び前記専用コントローラからの信号入力切換機能と、前記調光卓及び前記専用コントローラからの信号のうち、前記光源の光出力の制御に必要な信号のみをＤＭＸ５１２信号よりも低速な信号に変換して照明装置に備えられた前記制御部へと送出する機能とを有するものであることを特徴とする照明装置。
【請求項２】
前記接続インターフェースから送出される信号と前記専用信号とは、同一であることを特徴とする請求項１記載の照明装置。
【請求項３】
前記接続インターフェースから送出される信号と前記専用信号とは、異なるものであることを特徴とする請求項１記載の照明装置。
【請求項４】
前記接続インターフェースは、前記専用信号と前記ＤＭＸ５１２信号とが同時に入力されると、前記ＤＭＸ５１２信号を優先処理するものであることを特徴とする請求項１乃至請求項３のいずれかに記載の照明装置。
【請求項５】
前記接続インターフェースは、前記専用信号と前記ＤＭＸ５１２信号とが同時に入力されると、前記ＤＭＸ５１２信号の設定により前記専用信号を優先処理するものであることを特徴とする請求項１乃至請求項３のいずれかに記載の照明装置。
【請求項６】
前記接続インターフェースは、前記専用信号と前記ＤＭＸ５１２信号との一方が入力されると、入力された信号を優先処理するものであることを特徴とする請求項１乃至請求項３のいずれかに記載の照明装置。
【請求項７】
前記専用信号と前記ＤＭＸ５１２信号とのいずれの信号も前記接続インターフェースへ入力されなければ、前記光源を点灯あるいは消灯することを特徴とする請求項１乃至請求項３のいずれかに記載の照明装置。
【請求項８】
複数の前記接続インターフェースを互いに並列接続して設けることを特徴とする請求項１乃至請求項７のいずれかに記載の照明装置。
【請求項９】
複数の前記接続インターフェースを互いに直列接続して設けることを特徴とする請求項１乃至請求項７のいずれかに記載の照明装置。
【請求項１０】
複数の前記接続インターフェースを互いに直並列接続して設けることを特徴とする請求項１乃至請求項７のいずれかに記載の照明装置。
【発明の詳細な説明】
【０００１】
【発明の属する利用分野】
本発明は照明装置に関するものであり、更に詳しくは、宴会場など比較的大きな空間で演出照明などを行う照明装置に関する。
【０００２】
【従来の技術】
従来、宴会場など比較的大きな空間で演出照明などを行う場合、本発明に係る第１従来例として、図９に示す様に、ＤＭＸ５１２と呼ばれる高速ディジタル調光信号規格の調光信号線を用いて、調光卓２から調光盤７へと調光信号（以下、ＤＭＸ５１２信号と呼ぶ。）を送出し、調光盤７から、位相制御された電源線を複数の光源６の各々に配線し、各光源６を調光して演出を行っていた。
【０００３】
しかし、上記従来例では、各光源６を調光する為の大規模な調光盤７が必要となり、また調光盤７からも各光源６に対して個別に電源線が必要となり、装置の大型化、コストアップ、施工が煩雑、という第１の問題点が発生してしまう。
【０００４】
一方、本発明に係る第２従来例として、比較的小規模な空間において、１台の照明器具に複数の光源を設置し、照明器具内の光源の光量を一定の周期及び一定の順序で変化させることにより、演出効果を高めるものがある。（本発明出願人出願の特願平８−１５４３９０号）
【０００５】
【発明が解決しようとする課題】
しかし、上記第２従来例では、照明器具内の光源の光量を一定の周期及び一定の順序でしか変化させることができず、また、各照明器具間の連動も考慮されていないので、より複雑な演出照明には不向きであり、更に、調光卓と接続することができないので大規模な空間で利用することが困難であり、他の演出設備との連動も困難である、という第２の問題点が発生してしまう。
【０００６】
本発明は、上記全ての問題点に鑑みてなされたものであり、その目的とするところは、配線が容易であり、調光卓からも接続可能で、より自由度の高い演出照明が可能で、小型化可能な照明装置を低コストで提供することである。
【０００７】
【課題を解決するための手段】
上記問題点を解決するために、請求項１記載の発明によれば、光源と、ＤＭＸ５１２信号を送出する調光卓と、ＤＭＸ５１２信号に応じて光源の光出力を制御する制御部と、ＤＭＸ５１２信号よりも低速で前記光源の光出力を制御する専用信号を送出する専用コントローラと、調光卓及び専用コントローラと制御部とを接続する接続インターフェースとを備え、接続インターフェースは、調光卓及び専用コントローラからの信号入力切換機能と、調光卓及び専用コントローラからの信号のうち、前記光源の光出力の制御に必要な信号のみをＤＭＸ５１２信号よりも低速な信号に変換して照明装置に備えられた制御部へと送出する機能とを有するものであることを特徴とする。
【０００８】
請求項２記載の発明によれば、接続インターフェースから送出される信号と専用信号とは、同一であることを特徴とする。
【０００９】
請求項３記載の発明によれば、接続インターフェースから送出される信号と専用信号とは、異なるものであることを特徴とする。
【００１０】
請求項４記載の発明によれば、接続インターフェースは、専用信号とＤＭＸ５１２信号とが同時に入力されると、ＤＭＸ５１２信号を優先処理するものであることを特徴とする。
【００１１】
請求項５記載の発明によれば、接続インターフェースは、専用信号とＤＭＸ５１２信号とが同時に入力されると、ＤＭＸ５１２信号の設定により専用信号を優先処理するものであることを特徴とする。
【００１２】
請求項６記載の発明によれば、接続インターフェースは、専用信号とＤＭＸ５１２信号との一方が入力されると、入力された信号を優先処理するものであることを特徴とする。
【００１３】
請求項７記載の発明によれば、専用信号とＤＭＸ５１２信号とのいずれの信号も接続インターフェースへ入力されなければ、光源を点灯あるいは消灯することを特徴とする。
【００１４】
請求項８記載の発明によれば、複数の接続インターフェースを互いに並列接続して設けることを特徴とする。
【００１５】
請求項９記載の発明によれば、複数の接続インターフェースを互いに直列接続して設けることを特徴とする。
【００１６】
請求項１０記載の発明によれば、複数の接続インターフェースを互いに直並列接続して設けることを特徴とする。
【００１７】
【実施の形態】
（実施の形態１）
本発明に係る第１の実施の形態のブロック構成図を図１に示す。
【００１８】
図９に示した従来例と異なる点は、ＤＭＸ５１２信号よりも低速で前記光源の光出力を制御する専用信号を照明器具４内の制御部（以下、器具内ブロックと呼ぶ。）５へと送出する専用コントローラ１と、専用コントローラ１及び調光卓２と器具内ブロック５とを接続する接続インターフェース（以下、接続Ｉ／Ｆと呼ぶ。）３とを設けたことであり、その他の従来例と同一構成には同一符号を付すことにより説明を省略する。
【００１９】
ここで接続Ｉ／Ｆ３は、専用コントローラ１からのＤＭＸ５１２信号よりも低速で前記光源の光出力を制御する専用信号と調光卓２からのＤＭＸ５１２信号との入力切換機能と、調光卓２及び専用コントローラ１からの信号のうち、前記光源の光出力の制御に必要な信号のみをＤＭＸ５１２信号よりも低速な信号に変換する機能とを有するものである。また、調光卓２からのＤＭＸ５１２信号は、接続Ｉ／Ｆ３で予め設定したチャンネルから所定の必要チャンネルのみを受信・解釈するものとする。照明器具４は、ＤＭＸ５１２信号よりも低速で前記光源の光出力を制御する専用信号を受信・解釈して複数の光源６の点灯制御を行う器具内ブロック５と、複数の光源６とから構成される。
【００２０】
以下に動作を簡単に示す。専用コントローラ１からのＤＭＸ５１２信号よりも低速で前記光源の光出力を制御する専用信号のみが送出されている場合、接続Ｉ／Ｆ３は単なる中継器として使用し、接続Ｉ／Ｆ３から器具内ブロック５へ専用信号をそのまま送出し、光源６を制御する。
【００２１】
調光卓２からのＤＭＸ５１２信号のみが送出されている場合、接続Ｉ／Ｆ３はＤＭＸ５１２信号を受信・解釈して前記光源の光出力の制御に必要な信号のみをＤＭＸ５１２信号よりも低速な信号に変換して器具内ブロック５へ送出し、光源６を制御する。
【００２２】
専用コントローラ１及び調光卓２のどちらからも信号が送出されていない場合、用途に応じて光源６の点滅を選択すればよく、例えば、事前に専用コントローラ１からのＤＭＸ５１２信号よりも低速で前記光源の光出力を制御する専用信号のみが送出されており、その信号が途切れた場合は光源６を点灯させ、事前に調光卓２からのＤＭＸ５１２信号のみが送出されており、その信号が途切れた場合は光源６を消灯させる様にする。あるいは、事前に専用コントローラ１からのＤＭＸ５１２信号よりも低速で前記光源の光出力を制御する専用信号のみが送出されており、その信号が途切れた場合は光源６を消灯させ、事前に調光卓２からのＤＭＸ５１２信号のみが送出されており、その信号が途切れた場合は光源６を点灯させる様にしてもよく、更に、どちらの場合でも光源６を消灯あるいは点灯させる様にしてもよい。
【００２３】
専用コントローラ１及び調光卓２のどちらからも信号が送出されている場合、原則して調光卓２からのＤＭＸ５１２信号を優先して処理する。但し、ＤＭＸ５１２信号の所定のチャンネルに専用コントローラ１からのＤＭＸ５１２信号よりも低速で前記光源の光出力を制御する専用信号を優先する設定が行われている場合は、専用コントローラ１からのＤＭＸ５１２信号よりも低速で前記光源の光出力を制御する専用信号を優先して処理する。
【００２４】
なお、器具内ブロック５は、予め決められた所定の変化を行うモードと、それぞれの光源６を個別の調光量で点灯させるモードとを備えるものであり、前者のモードの場合はパターン情報のみを信号として伝達し、後者のモードの場合は調光卓２から所定の信号を送信することにより、その様な動作を可能としている。また、器具内ブロック５は照明器具４内に設けたが照明器具４の外でもよく、光源６の個数も幾らでもよく、更に、照明器具４の個数も任意で構わない。更にまた、専用コントローラ１及び接続Ｉ／Ｆ３の間の信号と接続Ｉ／Ｆ３及び器具内ブロック５の間の信号とは、同一でも異なるものでも構わない。
【００２５】
以上の様に構成したことにより、専用コントローラ１及び調光卓２の入力切換、入力信号遮断時の処理、光源６の一定パターン変化制御及び個別調光制御の切換などが可能となり、多彩な演出照明が可能となる。また、従来は調光盤より光源の数だけの配線が必要であったが、信号線の配線だけで可能となり、省配線、省施工が可能となる。
【００２６】
（実施の形態２）
本発明に係る第２の実施の形態のブロック構成図を図２に示す。
【００２７】
図１に示す第１の実施の形態と異なる点は、接続Ｉ／Ｆ３を複数台用い（ここでは２台）、それぞれの接続Ｉ／Ｆ３に別々のＤＭＸ５１２信号のチャンネルを割り付けることにより、調光卓２の操作によって、互いに異なる接続Ｉ／Ｆ３に接続した器具内ブロック５は互いに異なった動作をすることができる様に構成したものであり、その他の第１の実施の形態と同一構成には同一符号を付すことにより説明を省略する。
【００２８】
なお、接続Ｉ／Ｆ３に接続する照明器具４の個数、及び接続Ｉ／Ｆ３の個数は幾らでも構わない。
【００２９】
（実施の形態３）
本発明に係る第３の実施の形態のブロック構成図を図３に示す。
【００３０】
図１に示す第１の実施の形態と異なる点は、専用コントローラ１からの専用信号入力を遮断し（ここでは専用コントローラ１は図示していない）、調光卓２からのＤＭＸ５１２信号のみを複数の接続Ｉ／Ｆ３で受信し、それぞれの接続Ｉ／Ｆ３に別々のＤＭＸ５１２信号のチャンネルを割り付け、個々の接続Ｉ／Ｆ３から器具内ブロック５へ低速の信号を送出する様に構成したものであり、その他の第１の実施の形態と同一構成には同一符号を付すことにより説明を省略する。
【００３１】
この様に構成したことにより、照明器具４毎に個別制御が可能となり、従来は調光盤より光源の数だけの配線が必要であった様な個々の光源が連動した演出照明を、信号線の配線だけで可能となり、省配線、省施工が可能となる。
【００３２】
（実施の形態４）
本発明に係る第４の実施の形態のブロック構成図を図４に示す。
【００３３】
図１に示す第１の実施の形態と異なる点は、区画Ａ、Ｂ、Ｃ・・毎に設けられた専用コントローラ１からの専用信号を個々の接続Ｉ／Ｆ３で受信し、個々の接続Ｉ／Ｆ３から器具内ブロック５へ低速の信号を送出する様に構成することにより、大宴会場などの広い空間において規模に応じて間仕切りなどを設けた場合に用いることができるものであり、その他の第１の実施の形態と同一構成には同一符号を付すことにより説明を省略する。
【００３４】
例えば、区画Ａ、Ｂ、Ｃの各々に存在する器具内ブロック５の各々には、区画毎に専用コントローラ１と接続Ｉ／Ｆ３とが接続されており、例えば区画Ａと区画Ｂとは調光卓２からのＤＭＸ５１２信号を優先し、区画Ｃは専用コントローラ１からのＤＭＸ５１２信号よりも低速で前記光源の光出力を制御する専用信号を優先する。この様に構成することにより、区画毎に応じて専用コントローラ１あるいは調光卓２のいずれかを優先した制御を行うことが可能となる。
【００３５】
（実施の形態５）
本発明に係る第５の実施の形態のブロック構成図を図５に示す。
【００３６】
図１に示す第１の実施の形態と異なる点は、接続Ｉ／Ｆ３の一台当たりに接続可能な器具内ブロック５の台数が限定されている場合に、接続Ｉ／Ｆ３に直列に別の接続Ｉ／Ｆ３を接続することにより、接続される器具内ブロック５の台数を増加したことであり、その他の第１の実施の形態と同一構成には同一符号を付すことにより説明を省略する。
【００３７】
（実施の形態６）
本発明に係る第５の実施の形態のブロック構成図を図６に示す。
【００３８】
図５に示す第５の実施の形態と異なる点は、１段目の接続Ｉ／Ｆ３の出力端に、複数の接続Ｉ／Ｆ３を並列に接続することにより、接続される器具内ブロック５の台数を増加したことであり、その他の第５の実施の形態と同一構成には同一符号を付すことにより説明を省略する。
【００３９】
（実施の形態７）
本発明に係る第５の実施の形態のブロック構成図を図７に示す。
【００４０】
図５に示す第５の実施の形態と異なる点は、２段目の接続Ｉ／Ｆ３の出力端に直列に別の接続Ｉ／Ｆ３を接続して、つまり接続Ｉ／Ｆ３を最大３台直列に接続することにより、接続される器具内ブロック５の台数を増加したことであり、その他の第５の実施の形態と同一構成には同一符号を付すことにより説明を省略する。
【００４１】
（実施の形態８）
本発明に係る第５の実施の形態のブロック構成図を図８に示す。
【００４２】
図５に示す第５の実施の形態と異なる点は、複数の接続Ｉ／Ｆ３を互いに直並列に接続することにより、接続される器具内ブロック５の台数を増加したことであり、その他の第５の実施の形態と同一構成には同一符号を付すことにより説明を省略する。
【００４３】
【発明の効果】
請求項１乃至請求項７に記載の発明によれば、専用コントローラ及び調光卓の入力切換、入力信号遮断時の処理、光源の一定パターン変化制御及び個別調光制御の切換などが可能となり、多彩な演出照明が可能で、従来は調光盤より光源の数だけの配線が必要であったが、信号線の配線だけで可能となり、省配線、省施工が可能で、小型化可能な照明装置を低コストで提供できる。
【００４４】
請求項８乃至請求項１０に記載の発明によれば、請求項１乃至請求項７に記載の発明の効果に加えて、接続される器具内ブロック５の台数を増加することが可能な照明装置を低コストで提供できる。
【図面の簡単な説明】
【図１】本発明に係る第１の実施の形態のブロック構成図を示す。
【図２】本発明に係る第２の実施の形態のブロック構成図を示す。
【図３】本発明に係る第３の実施の形態のブロック構成図を示す。
【図４】本発明に係る第４の実施の形態のブロック構成図を示す。
【図５】本発明に係る第５の実施の形態のブロック構成図を示す。
【図６】本発明に係る第６の実施の形態のブロック構成図を示す。
【図７】本発明に係る第７の実施の形態のブロック構成図を示す。
【図８】本発明に係る第８の実施の形態のブロック構成図を示す。
【図９】本発明に係る従来例のブロック構成図を示す。
【符号の説明】
１    専用コントローラ
２    調光卓
３    接続インターフェース
５    制御部
６    光源
【図１】
0003829390.tif 000002
【図２】
0003829390.tif 000003
【図３】
0003829390.tif 000004
【図４】
0003829390.tif 000005
【図５】
0003829390.tif 000006
【図６】
0003829390.tif 000007
【図７】
0003829390.tif 000008
【図８】
0003829390.tif 000009
【図９】
0003829390.tif 000010